(57)【要約】【課題】ユーザにカメラヘッドおよびカメラボディ双方の電気接点のクリーニングをわざわざ行なわせなくても済むカメラシステムを提供する。【解決手段】  カメラボディ１ｂが共通的に用いられるものとして、交換自在に装着されるカメラヘッド１ａの電気接点１１ａを装着時に回動操作に伴って拭うクリーニング部材１２ｂをカメラボディ１ｂのマウント部１０ｂ付近にある電気接点１１ｂの端に設ける。カメラヘッドの回動によりカメラヘッドがカメラボディに装着されるときには、カメラボディのクリーニング部材１２ｂによりカメラヘッド１ａ側の電気接点部１１ａが自動的にクリーニングされる。【選択図】図３
2006259275.tif 000002
【特許請求の範囲】
【請求項１】
撮影光学系を備えたカメラヘッドと、該カメラヘッドが着脱自在に装着されるマウント部を有し該カメラヘッドを該マウント部に嵌入させて回動することにより該カメラヘッドが装着されて撮影操作が行なわれるカメラボディとを備えたカメラシステムにおいて、
前記カメラヘッドおよび前記カメラボディの双方が、該カメラヘッドが該カメラボディに装着されることにより互いに接触して電気的に導通する電気接点を備えるとともに、
前記カメラヘッドおよび前記カメラボディの少なくとも一方が、該カメラヘッドが前記マウント部に嵌入された状態における該カメラヘッドの回動により、他方に備えられた電気接点を拭うクリーニング部材を備えたものであることを特徴とするカメラシステム。
【請求項２】
前記カメラヘッドが、前記撮影光学系を経由して入射してきた被写体光を捉えて画像信号を生成する撮像素子を備え、該撮像素子で生成された画像信号を前記カメラヘッドに送るものであることを特徴とする請求項１記載の記載のカメラシステム。
【請求項３】
前記カメラボディが、前記撮影光学系を経由して入射してきた被写体光を捉えて画像信号を生成する撮像素子を備えたことを特徴とする請求項１記載の記載のカメラシステム。
【請求項４】
マウント部を有し撮影操作を行なうカメラボディの該マウント部に嵌入させて回動することにより該カメラボディに着脱自在に装着される、撮影光学系を備えたカメラヘッドにおいて、
このカメラヘッドが前記カメラボディに装着されることにより該カメラボディに備えられた電気接点に接触して電気的に導通する電気接点と、
このカメラヘッドが前記マウント部に嵌入された状態における該カメラヘッドの回動により前記カメラヘッドに備えられた電気接点を拭うクリーニング部材とを備えたことを特徴とするカメラヘッド。
【請求項５】
撮影光学系を備えたカメラヘッドが着脱自在に装着されるマウント部を有し該カメラヘッドを該マウント部に嵌入させて回動することにより該カメラヘッドが装着されて撮影操作が行なわれるカメラボディにおいて、
前記カメラヘッドがこのカメラボディに装着されることにより該カメラヘッドに備えられた電気接点に接触して電気的に導通する電気接点と、
前記カメラヘッドが前記マウント部に嵌入された状態における該カメラヘッドの回動により該カメラヘッドに備えられた電気接点を拭うクリーニング部材とを備えたものであることを特徴とするカメラボディ。
【請求項６】
撮影光学系を備えたカメラヘッドと、該カメラヘッドが着脱自在に装着されるマウント部を有し該カメラヘッドを該マウント部に嵌入させて回動することにより該カメラヘッドが装着されて撮影操作が行なわれるカメラボディとを備えたカメラシステムにおける前記カメラヘッドの電気接点を保護する、回動操作を伴って該カメラヘッドに着脱されるヘッドキャップであって、
前記カメラヘッドへの装着時および取外し時のうちの少なくとも一方において該カメラヘッドの電気接点を拭うクリーニング部材を備えたことを特徴とするヘッドキャップ。
【請求項７】
このヘッドキャップが前記カメラヘッドに装着された状態における前記クリーニング部材が、該カメラヘッドの電気接点に接した状態に配置されるものであることを特徴とする請求項６記載のヘッドキャップ。
【請求項８】
撮影光学系を備えたカメラヘッドと、該カメラヘッドが着脱自在に装着されるマウント部を有し該カメラヘッドを該マウント部に嵌入させて回動することにより該カメラヘッドが装着されて撮影操作が行なわれるカメラボディとを備えたカメラシステムにおける前記カメラボディの電気接点を保護する、回動操作を伴って該カメラボディに着脱されるヘッドキャップであって、
前記カメラボディへの装着時および取外し時のうちの少なくとも一方において該カメラボディの電気接点を拭うクリーニング部材を備えたことを特徴とするボディキャップ。
【請求項９】
このボディキャップが前記カメラボディに装着された状態における前記クリーニング部材が、該カメラボディの電気接点に接した状態に配置されるものであることを特徴とする請求項８記載のボディキャップ。
【発明の詳細な説明】
【技術分野】
【０００１】
本発明は、撮影光学系を備えたカメラヘッド、そのカメラヘッドが着脱自在に装着されるマウント部を有しそのカメラヘッドをそのマウント部に嵌入させて回動することによりそのカメラヘッドが装着されて撮影操作が行なわれるカメラボディ、そのカメラボディと上記カメラヘッドとを備えたカメラシステム、さらにカメラヘッドの、カメラボディのマウント部に装着される部分に嵌入されるヘッドキャップおよびカメラボディのマウント部に嵌入されるボディキャップに関する。
【背景技術】
【０００２】
従来より多くの交換レンズのうちの一つがカメラボディに装着されて撮影が行なわれるカメラシステムがある。また最近では撮影光学系に加えて撮像素子までをも備えたカメラヘッドが着脱自在にカメラボディに装着されて撮影が行なわれるカメラシステムも提案されている（例えば特許文献１参照）。
【０００３】
いままでのカメラシステムは熟練者向けであったが、上記特許文献１にあるようなカメラシステムは交換レンズを用いていた熟練者に限らず、撮影に不慣れな初心者までを含めた幅広い需要が見込まれている。しかし交換レンズを用いていた熟練者にあっては、カメラヘッドをカメラボディに装着する前にカメラヘッドとカメラボディとの双方にある電気接点をクリーニングすることが当たり前のことであっても、初心者にあっては接点部のクリーニングを行なわなくても装着しさえすればいつでも撮影することができると思っている人が多い。そういった初心者にあっては、クリーニングさえ行なっていれば起こらなかった接触不良に撮影後になってから初めて気付く人もいる。また、従来の交換レンズを用いていた熟練者に、慣れているとはいっても装着する度にいちいちクリーニングを行わせるのは少々おしつけがましいという感もある。
【０００４】
また、このようなカメラシステムを用いるにあたって熟練者にあっては撮影を行なう時だけでなく、カメラボディやカメラヘッドを保管棚などに保管するとき、または保管棚に保管されていたカメラヘッドやカメラボディを取り出して使おうとするときにも電気接点のクリーニングをわざわざ行なう人が多い。
【０００５】
さらに、このようなカメラシステムにあっては、マウント部が共通であった場合には、カメラボディを共通的に用いて、撮影光学系や撮像素子の仕様が異なるカメラヘッド（カメラボディの製作メーカとは異なる製作メーカが製作したカメラヘッドを含む）を共通のカメラボディに装着して撮影を行なうケースや逆にカメラヘッドを共通的に用いて、記録媒体などの仕様や表示装置の仕様が異なるカメラボディに共通のカメラヘッドを装着して撮影を行なうケースも想定される。
【特許文献１】特開２０００−１７５０８９号公報
【発明の開示】
【発明が解決しようとする課題】
【０００６】
本発明は、上記事情に鑑み、装着前にユーザにカメラヘッドとカメラボディとのうちの少なくとも一方の電気接点のクリーニングをわざわざ行なわせなくても済むカメラシステムおよびそのカメラシステムを構成するカメラヘッドやカメラボディ、またユーザにカメラヘッドの電気接点のクリーニングをわざわざ行なわせなくても済むヘッドキャップ、さらにユーザに電気接点のクリーニングをわざわざ行なわせなくても済むボディキャップを提供することを目的とする。
【課題を解決するための手段】
【０００７】
上記目的を達成する本発明のカメラシステムは、撮影光学系を備えたカメラヘッドと、そのカメラヘッドが着脱自在に装着されるマウント部を有しそのカメラヘッドをそのマウント部に嵌入させて回動することによりそのカメラヘッドが装着されて撮影操作が行なわれるカメラボディとを備えたカメラシステムにおいて、
上記カメラヘッドおよび上記カメラボディの双方が、そのカメラヘッドがそのカメラボディに装着されることにより互いに接触して電気的に導通する電気接点を備えるとともに、
上記カメラヘッドおよび上記カメラボディの少なくとも一方が、そのカメラヘッドが上記マウント部に嵌入された状態におけるそのカメラヘッドの回動により、他方に備えられた電気接点を拭うクリーニング部材を備えたものであることを特徴とする。
【０００８】
上記本発明のカメラシステムによれば、上記カメラヘッドを上記カメラボディに装着するときに上記カメラヘッドおよび上記カメラボディの少なくとも一方が、そのカメラヘッドが上記マウント部に嵌入された状態におけるそのカメラヘッドの回動により、他方に備えられた電気接点が上記クリーニング部材によって自動的に拭われる。
【０００９】
カメラヘッドとカメラボディとの双方が同一の製作メーカにより製作されたものであった場合には、双方に上記クリーニング部材を設けることは容易く、その場合には装着前にユーザに電気接点のクリーニングをわざわざ行なわせなくてもカメラヘッドをカメラボディに装着するだけで鮮明な撮影が行なえるカメラシステムが実現される。
【００１０】
また、前述したように共通的に用いているカメラボディの製作メーカとは異なる製作メーカが製作したカメラヘッドがカメラボディに装着されたり、逆に共通的に用いているカメラヘッドの製作メーカとは異なる製作メーカが製作したカメラボディにカメラヘッドが装着されたりする場合には、カメラヘッドもしくはカメラボディにのみクリーニング部材が備えられることとなる。そのようなときにはカメラヘッドのクリーニング部材によりカメラボディ側の電気接点のクリーニングが行なわれたり、カメラボディ側のクリーニング部材によりカメラヘッド側の電気接点のクリーニングが行なわれたりする。
【００１１】
すなわち、装着前にユーザにカメラヘッドとカメラボディとのうちの少なくとも一方の電気接点のクリーニングをわざわざ行なわせなくても済むカメラシステムが実現される。
【００１２】
ここで、上記カメラヘッドが、上記撮影光学系を経由して入射してきた被写体光を捉えて画像信号を生成する撮像素子を備え、その撮像素子で生成された画像信号を上記カメラボディに送るものであっても、また、上記カメラボディが、上記撮影光学系を経由して入射してきた被写体光を捉えて画像信号を生成する撮像素子を備えたものであっても良い。
【００１３】
また、上記目的を達成する本発明のカメラヘッドは、マウント部を有し撮影操作を行なうカメラボディのそのマウント部に嵌入させて回動することによりそのカメラボディに着脱自在に装着される、撮影光学系を備えたカメラヘッドであって、
このカメラヘッドが上記カメラボディに装着されることによりそのカメラボディに備えられた電気接点に接触して電気的に導通する電気接点と、
このカメラヘッドが上記マウント部に嵌入された状態におけるそのカメラヘッドの回動により上記カメラボディに備えられた電気接点を拭うクリーニング部材とを備えたことを特徴とする。
【００１４】
前述したように上記カメラヘッドを共通的に用いた場合には上記カメラボディの交換が行なわれる度にそのカメラボディの電気接点が上記クリーニング部材によって拭われてクリーニングされる。
【００１５】
また、上記目的を達成する本発明のカメラボディは、撮影光学系を備えたカメラヘッドが着脱自在に装着されるマウント部を有しそのカメラヘッドをそのマウント部に嵌入させて回動することによりそのカメラヘッドが装着されて撮影操作が行なわれるカメラボディにおいて、
上記カメラヘッドがこのカメラボディに装着されることによりそのカメラヘッドに備えられた電気接点に接触して電気的に導通する電気接点と、
上記カメラヘッドが上記マウント部に嵌入された状態におけるそのカメラヘッドの回動により該カメラヘッドに備えられた電気接点を拭うクリーニング部材とを備えたものであることを特徴とする。
【００１６】
前述したように上記カメラボディを共通的に用いた場合には上記カメラヘッドの交換が行なわれる度にそのカメラヘッドの電気接点が上記クリーニング部材によって拭われてクリーニングされる。
【００１７】
また上記目的を達成する本発明のヘッドキャップは、撮影光学系を備えたカメラヘッドと、そのカメラヘッドが着脱自在に装着されるマウント部を有しそのカメラヘッドをそのマウント部に嵌入させて回動することによりそのカメラヘッドが装着されて撮影操作が行なわれるカメラボディとを備えたカメラシステムにおける上記カメラヘッドの電気接点を保護する、回動操作を伴ってそのカメラヘッドに着脱されるヘッドキャップであって、
上記カメラヘッドへの装着時および取外し時のうちの少なくとも一方においてそのカメラヘッドの電気接点を拭うクリーニング部材を備えたことを特徴とする。
【００１８】
上記本発明のヘッドキャップによれば、上記カメラヘッドを保管棚などに保管する時にこのヘッドキャップを装着することでそのカメラヘッドの電気接点のクリーニングを行うことも、保管棚から取り出してこのヘッドキャップを取外しそうとした時にカメラヘッドの電気接点のクリーニングを行なうこともできる。
【００１９】
そうすると、上記カメラヘッドが上記カメラボディに装着されるときには、必ず上記カメラヘッドの電気接点がきれいにクリーニングされた後、上記カメラボディに装着されて撮影が行なわれることになる。このため、装着後に接触不良が起こる確率は極めて低くなる。
【００２０】
ここで、このヘッドキャップが上記カメラヘッドに装着された状態における上記クリーニング部材が、そのカメラヘッドの電気接点に接した状態に配置されるものであることが好ましい。
【００２１】
そうすると、保管時にクリーニング部材が電気接点に接した状態に配置されたままになるのでカメラヘッドの電気接点の酸化等が防止される。
【００２２】
さらに撮影光学系を備えたカメラヘッドと、そのカメラヘッドが着脱自在に装着されるマウント部を有しそのカメラヘッドをそのマウント部に嵌入させて回動することによりそのカメラヘッドが装着されて撮影操作が行なわれるカメラボディとを備えたカメラシステムにおける上記カメラボディの電気接点を保護する、回動操作を伴ってそのカメラボディに着脱されるボディキャップであって、
上記カメラボディへの装着時および取外し時のうちの少なくとも一方においてそのカメラボディの電気接点を拭うクリーニング部材を備えたことを特徴とする。
【００２３】
上記本発明のボディキャップによれば、カメラボディを保管棚などへ保管する時にこのボディキャップを装着することで上記クリーニング部材により上記電気接点のクリーニングを行なうことも、保管棚から取り出してこのボディキャップを取外そうとした時に電気接点のクリーニングを行なうこともできる。
【００２４】
そうすると、上記カメラボディに上記カメラヘッドが装着されるときには、必ず上記カメラボディの電気接点がきれいにクリーニングされた後、上記カメラボディに装着されて撮影が行なわれることになる。このため、装着後に接触不良が起こる確率は極めて低くなる。
【００２５】
ここで、このボディキャップが上記カメラボディに装着された状態における上記クリーニング部材が、そのカメラボディの電気接点に接した状態に配置されるものであることが好ましい。
【００２６】
そうすると、保管時にクリーニング部材が電気接点に接した状態に配置されたままになるのでカメラボディの電気接点の酸化等が防止される。
【発明の効果】
【００２７】
以上、説明したように、装着前にユーザにカメラヘッドとカメラボディとのうちの少なくとも一方の電気接点のクリーニングをわざわざ行なわせなくても済むカメラシステムおよびそのカメラシステムを構成するカメラヘッドやカメラボディ、またユーザにカメラヘッドの電気接点のクリーニングをわざわざ行なわせなくても済むヘッドキャップ、さらにユーザに電気接点のクリーニングをわざわざ行なわせなくても済むボディキャップが実現される。
【発明を実施するための最良の形態】
【００２８】
以下、本発明の実施の形態について説明する。
【００２９】
図１は、本発明の一実施形態であるカメラシステム１を示す図であり、また、図２は、図１の外観を持つカメラシステム１の内部構成を説明する図である。
【００３０】
図１（ａ）には、カメラヘッド１ａが装着される、カメラボディ１ｂのマウント部１０ｂの構成とともにカメラシステム１全体の構成が示されており、図１（ｂ）には、そのマウント部１０ｂに嵌入されるカメラヘッド１ａ側のマウント構成が示されている。また図２（ａ）には、撮影光学系と撮像素子１００ａとが配備されているカメラヘッド１ａがカメラボディ１ｂに装着されたときに互いに接触する電気接点１１ａ，１１ｂによりどのような信号がカメラヘッド１ａからカメラボディ１ｂに送られるかが示されており、図２（ｂ）には、撮影光学系が配備されているカメラヘッド１ａが撮像素子１００ｂを備えるカメラボディ１ｂに装着されたときに互いに接触する電気接点１１ａ，１１ｂによりどのような信号がカメラボディ１ｂからカメラヘッド１ａに供給されるかが示されている。
【００３１】
図１に示す外観を持つカメラシステム１にあっては、図２（ａ）に示すように撮像素子１００ａがカメラヘッド１ａ側に配備されたものと、図２（ｂ）に示すように撮像素子１００ｂがカメラボディ側に配備されたものとの双方の構成が考えられる。図２（ａ）に示す構成においては、本発明にいう互いに接触する電気接点１１ａと電気接点１１ｂとが画像信号転送用の電気接点となり、図２（ｂ）に示す構成においては、本発明にいう互いに接触する電気接点１１ａと電気接点１１ｂとがズームレンズＺＬやフォーカスレンズＦＬのモータＭ１，Ｍ２を制御する制御信号を供給する電気接点となる。
【００３２】
いずれにしても図１に示す外観を持つものであれば、どちらのシステムであっても、カメラヘッド１ａがそのカメラボディ１ｂに装着されることにより本発明にいう互いに接触して電気的に導通する電気接点を備えることになる。
【００３３】
図１にはカメラボディ１ｂ側にクリーニング部材１２ｂを設けて、カメラヘッド１ａがカメラボディ１ｂのマウント部１０ｂに嵌入された状態におけるカメラヘッド１ａの回動により、そのクリーニング部材１２ｂによりカメラヘッド１ａに備えられた電気接点１１ａを拭うようにした場合の構成例が示されている。
【００３４】
まず、図１を参照してカメラボディ１ｂおよびカメラヘッド１ａの外観を簡単に説明しておく。
【００３５】
図１に示すように、カメラボディ１ａの中央には、カメラヘッド１ａの端部を受け入れるバヨネット構造のマウント部１０ｂが設けられており、そのマウント部１０ｂの、カメラヘッド１ａ側表面からは少し奥まったところに多数の電気接点１１ｂが設けられている。またそれらの電気接点１１ｂに装着時に接触して電気的に導通する電気接点１１ａがカメラヘッド１ａ側にも備えられている。さらにカメラボディ１ｂにはカメラヘッド１ａがマウント部１０ｂに嵌入された状態におけるカメラヘッド１ａの回動により、カメラヘッド１ａに備えられた電気接点１１ａを拭うクリーニング部材１２ｂが備えられている。なお、マウント部１０ｂの上方には閃光発光窓１３ｂが設けられており、カメラボディ上面には、撮影指示をボディ内部の制御部に与えるレリーズボタン１４ｂと電源スイッチを含む撮影モードダイヤル１５ｂとが備えられている。
【００３６】
ここで、カメラボディ１ｂ側の、電気接点１１ｂの端に設けられているクリーニング部材１２ｂの働きを、図３を参照して説明する。
【００３７】
図３は、図１に示すカメラボディ１ｂ側の電気接点１１ｂおよびその電気接点１１ｂの端に設けられているクリーニング部材１２ｂを正面から見た図、およびカメラヘッド１ａがカメラボディ１ｂに図中点線の矢印で示す方向に回動されて装着されていくときのクリーニング部材１２ｂの働きを説明する図である。
【００３８】
カメラヘッド１ａがカメラボディ１ｂのマウント部１０ｂに嵌入されると、まずカメラヘッド１ａ側の電気接点１１ａが図３（ｂ）に示す位置（点線で示してある）にくる。この例においてはカメラヘッド１ａ側の端部にある３つの凸部がカメラボディ１ｂ側の凹部を通して嵌め入れられた後、それらの凸部と係合する円周状の回転溝にそれら３つの凸部が係合されたまま回動されその回転溝の終端部にあるロック機構によりカメラヘッド１ａの端部１０ａがマウント部１０ｂにロックされることによりカメラヘッドがカメラボディに安定して装着されるようになっている。その回動端までカメラヘッド１ａが回動されてカメラボディ１ｂに装着されたときに、カメラヘッド１ａの電気接点１１ａとカメラボディ１ｂの電気接点１１ｂとが接触して電気的な導通が得られる。
【００３９】
上記したようにカメラヘッド１ａがカメラボディ１ｂに対して嵌入されたまま回動される訳であるから、この回動を利用してカメラヘッド１ａが回動されている最中にカメラボディ１ｂ側のクリーニング部材１２ｂによりカメラヘッド１ａの電気接点１１ａの表面を拭うようにしている。
【００４０】
このように装着時にカメラヘッドの電気接点の表面が拭われてクリーニングが行なわれるようになると、装着前にわざわざカメラヘッドの電気接点のクリーニングをユーザに行なわせなくて済むカメラシステムが実現される。
【００４１】
上記実施形態では、カメラボディ１ｂ側のクリーニング部材１１ｂによりカメラヘッド１ａ側の電気接点１１ａがクリーニングされるが、カメラボディ１ｂ側の電気接点１１ｂがクリーニングされない。
【００４２】
そこで、カメラヘッド１ａ側にもクリーニング部材を設けるようにすると、カメラヘッド１ａ側がカメラボディ１ｂの電気接点１１ｂのクリーニングを行なうことができるようになり、またカメラボディ１ｂ側がカメラヘッド１ａの電気接点１１ａのクリーニングを行なうことができるようになる。
【００４３】
図１〜図３によりカメラボディ１ｂ側にクリーニング部材１２ｂを設けた例を説明したので、図４を参照してクリーニング部材２２ａをカメラヘッド２ａ側に設けた場合の例を説明する。
【００４４】
図４は、カメラヘッド２ａ側の電気接点２１ａの端にクリーニング部材２２ａを設けた場合の、カメラシステム２の外観を示す図である。また図５は、図４に示すカメラボディ２ｂ側の電気接点２１ｂを正面から見た図、およびカメラヘッド２ａが図中点線の矢印で示す方向により回動されて装着されていくときの、カメラヘッド２ａ側に設けられているクリーニング部材２２ａの働きを説明する図である。
【００４５】
図４に示すようにカメラヘッド２ａ側にクリーニング部材２２ａを設けるようにすると、今度は、回動によりそのクリーニング部材２２ａによりカメラボディ２ｂ側の電気接点２１ｂが拭われクリーニングが行なわれるようになる。
【００４６】
このようにすると、今度は、カメラボディ１ｂの電気接点１１ｂがカメラヘッドが装着されたときに自動的にクリーニングされるようになる。
【００４７】
また図１〜図３の例と図４〜図５の例を組み合わせてカメラヘッドとカメラボディとの双方にクリーニング部材を設けることもできる。そうすると、双方の電気接点がカメラヘッドの回動に伴ってクリーニング部材により拭われるようになって、双方の電気接点とも装着時にクリーニングされるようになる。
【００４８】
すなわち、ユーザに電気接点のクリーニングをわざわざ行なわせなくても済むカメラシステムおよびそのカメラシステムを構成するカメラヘッド並びにカメラボディが実現される。
【００４９】
上記のようにカメラヘッド１ａとカメラボディ１ｂとの双方にクリーニング部材を設けるようにすると、撮影前に必ず、双方の接点がクリーニングされるようになるが、カメラヘッドやカメラボディを保管棚に保管する時に以降で説明するようなレンズキャップやボディキャップが配備されるとなると、カメラヘッドとカメラボディとの双方にクリーニング部材を設けておく必要は必ずしもなくなる。
【００５０】
例えばカメラボディに装着されていたボディキャップを取り外したときにクリーニングが行なわれたカメラボディを共通的に用いて撮影を行なうような場合には、カメラヘッドにクリーニング部材が設けられていなくてもカメラ本体の電気接点はボディキャップが取り外されたときにクリーニングが行なわれる。さらにカメラボディにクリーニング部材が設けられていれば、多数のカメラヘッドのうちのいずれかがカメラボディに交換自在に装着される度にカメラヘッドの電気接点がそのクリーニング部材によりクリーニングされるようになる。つまり、カメラヘッドにはクリーニング部材が設けられていなくても双方の電気接点のクリーニングは行なわれる。このような状況はカメラボディを製作したメーカとカメラヘッドを製作したメーカとが異なる場合などに起こり得るが、上記の如くキャップをうまく組み合わせることにより、上記のような場合においてもユーザにわざわざカメラヘッドとカメラ本体との双方の電気接点のクリーニングを行なわせずに済むカメラシステムが実現される。
【００５１】
図６は、カメラボディ１ｂの電気接点１１ｂを拭うクリーニング部材３１を備えたボディキャップ３とカメラヘッド１ａの電気接点１１ａを拭うクリーニング部材４１を備えたヘッドキャップ３とをそれぞれ示す図であり、図７は、ボディキャップ３の構成および、そのボディキャップ３を回動操作によりカメラボディ１ａに装着するときのクリーニング部材３１の働きを説明する図であり、また図８は、ヘッドキャップ４を回動操作によりカメラヘッドに装着するときのクリーニング部材の働きを説明する図である。なお、図８に示すヘッドキャップ４には、クリーニング部材５１のみが示されカメラヘッド端部のバヨネットマウント構造（３つの凸部等）を受ける受け部の構造が省略されているが、実際には内周に沿うように周状の溝とロック機構と３つの凸部を受け入れる３つの凹部とがそれぞれ構成されている。
【００５２】
図６、図７に示すヘッドキャップ３には、本発明にいうところのカメラヘッド１ａへの装着時および取外し時のうちの少なくとも一方においてカメラヘッド１ａの電気接点を拭うクリーニング部材３１が備えられている。図６、図７に示す本例においてはヘッドキャップ３が回動操作を伴ってカメラヘッド１ａに着脱されると、装着時（図中矢印で示す方向）および取外し時（図中矢印で示す方向とは逆の方向）のどちらにおいてもカメラヘッドの電気接点１１ａのクリーニングが行なわれる。
【００５３】
また、図６、図８に示すボディキャップ４には、本発明にいうところのカメラボディ１ｂへの装着時および取外し時のうちの少なくとも一方においてカメラヘッド１ａの電気接点を拭うクリーニング部材４１が備えられている。図６，図８に示す例においてはボディキャップ４が回動操作を伴ってカメラボディ１ｂに着脱されると、装着時（図８（ｃ）の点線矢印で示す方向）および取外し時（点線矢印で示す方向とは逆の方向）のどちらにおいてもカメラボディ１ｂの電気接点１１ｂのクリーニングが行なわれる。
【００５４】
このようなボディキャップ４が用意されていると、保管棚にカメラボディ１ｂを保管するとき、またその保管棚に保管されていたカメラボディ１ｂを取り出して使うときに、ボディキャップ４の装着および取外しにしたがってクリーニング部材４１によりカメラボディ１ｂの電気接点１１ｂがクリーニングされる。もしも取り出したカメラボディ１ｂに、クリーニング部材のないカメラヘッドが装着されたとしても保管棚から取り出してボディキャップ４を取り外したときにカメラボディ１ｂの電気接点１１ｂのクリーニングが行なわれているので、カメラボディ側にのみクリーニング部材が設けられてさえいればカメラヘッドの電気接点が装着時にクリーニングされることになってカメラヘッドとカメラボディとの双方の電気接点のクリーニングが行なわれるようになる。
【００５５】
このようにヘッドキャップやボディキャップをうまく用いることで、カメラヘッドとカメラボディとのうちのいずれか一方にクリーニング部材が装着されていれば、カメラヘッドとカメラ本体との双方の電気接点が装着時にクリーニングされるカメラシステムが実現される。
【００５６】
図９は、ヘッドキャップ５もしくはボディキャップ等のキャップ５が有するクリーニング部材５１がカメラヘッドもしくはカメラボディに装着されたときにカメラヘッドもしくはカメラボディの電気接点に接した状態に配置されるようになっていることを説明する図である。図９には、ヘッドキャップ、もしくはボディキャップ等のキャップ５が備えるクリーニング部材５１の形状が図６〜図８に示したものからは変更されていることとそのクリーニング部材５１が電気接点１１ａｏｒ１１ｂ上に配置されることのみが示されている。
【００５７】
図９に示すようにクリーニング部材５１の長さが長くなっているため、ヘッドキャップあるいはボディキャップ等のキャップ５が回動操作によりカメラヘッドやカメラボディに装着されたときにはそれらの電気接点１１ａｏｒ１１ｂに接した状態に配置されるようになっている。このようになっていると、保管棚などに保管されているときに、クリーニング部材５１が電気接点１１ａｏｒ１１ｂに接触したままになるので、カメラヘッドもしくはカメラボディを保管しているときにゴミが付着したり、接点が空気に触れて酸化されたりするようなことなどが防止されるようになる。
【図面の簡単な説明】
【００５８】
【図１】本発明の一実施形態であるカメラシステム１を示す図である。
【図２】図１の外観を持つカメラシステム１の内部構成を説明する図である。
【図３】図１に示すカメラボディ１ｂ側の電気接点１１ｂおよびその電気接点１１ｂの端に設けられているクリーニング部材１２ｂを正面から見た図、およびカメラヘッド１ａがカメラボディ１ｂに図中点線の矢印で示す方向に回動されて装着されていくときのクリーニング部材１２ｂの働きを説明する図である。
【図４】カメラヘッド２ａ側の電気接点２１ａの端にクリーニング部材２２ａを設けた場合の、カメラシステム２の外観を示す図である。
【図５】図４に示すカメラボディ２ｂ側の電気接点２１ｂを正面から見た図、およびカメラヘッド２ａが図中点線の矢印で示す方向により回動されて装着されていくときの、カメラヘッド２ａ側に設けられているクリーニング部材２２ａの働きを説明する図である。
【図６】カメラボディ１ｂの電気接点１１ｂを拭うクリーニング部材３１を備えたボディキャップ３とカメラヘッド１ａの電気接点１１ａを拭うクリーニング部材４１を備えたヘッドキャップ３とをそれぞれ示す図である。
【図７】ボディキャップ３の構成および、そのボディキャップ３を回動操作によりカメラボディ１ａに装着するときのクリーニング部材３１の働きを説明する図である。
【図８】ヘッドキャップ４の構成および、そのヘッドキャップ４を回動操作によりカメラヘッド１ａに装着するときのクリーニング部材４１の働きを説明する図である。
【図９】ヘッドキャップもしくはボディキャップなどのキャップ５が有するクリーニング部材５１がカメラヘッドもしくはカメラボディに装着されたときにカメラヘッドもしくはカメラボディの電気接点に接した状態に配置されるようになっていることを説明する図である。
【符号の説明】
【００５９】
１  ２  カメラシステム
１ａ  ２ａ    カメラヘッド
１０ａ  ２０ａ    ヘッド端部
１１ａ    ２１ａ    電気接点
１２ａ      クリーニング部材
１ｂ  ２ｂ  カメラボディ
１０ｂ  ２０ｂ  マウント部
１１ｂ    ２１ｂ  電気接点
１２ｂ    クリーニング部材
３    ボディキャップ
３１    クリーニング部材
４    ヘッドキャップ
４１    クリーニング部材
５    キャップ（ボディキャップ  ｏｒ  ヘッドキャップ）
５１    クリーニング部材
【図１】
2006259275.tif 000003
【図２】
2006259275.tif 000004
【図３】
2006259275.tif 000005
【図４】
2006259275.tif 000006
【図５】
2006259275.tif 000007
【図６】
2006259275.tif 000008
【図７】
2006259275.tif 000009
【図８】
2006259275.tif 000010
【図９】
2006259275.tif 000011